(57)【要約】皮下注射器は、摺動可能にその中に伸長するプランジャアセンブリを有するバレルを含む。プランジャアセンブリは、アセンブリの伸長に抵抗するバンジーと一緒に伸縮する外側プランジャ及び内側プランジャを含む。内部及び外部プランジャは、引張り状態のバンジーにより伸長位置で固定され得る。シール止め具が、プランジャアセンブリのシール端部に位置付けられ、かつバレルの内部側壁に対して半径方向伸長密封状態で環状シールを保持する。ルアーハブアセンブリは、バレルの針端部で固定される。プランジャキャップは、プランジャアセンブリを回転させるために注射後に前進し得る。かかる回転は、ルアーハブとプランジャアセンブリ端部のプローブを係合させ、環状シールを解放するためにシール止め具を切り離し、バレルからのルアーハブアセンブリの解放を引き起こすルアープランジャアセンブリによりシール止め具を係合させ、かつ外側プランジャ及び内側プランジャ間の係合を解放する。前述のことは、ルアーハブ及び結合された針をバレルへ引込めることを備える。
2005501610.tif 000002
【特許請求の範囲】
【請求項１】
バレルと、このバレル内に摺動自在に延びるプランジャアセンブリとから成る皮下注射器であって、
前記プランジャアセンブリは、
第１端部と、第２端部と、第２端部に面する第１端部の第１取付け具とを有する中空外側プランジャアセンブリと、
外側プランジャアセンブリと共に伸縮し、かつ、係合端部と、シール端部と、第１取付け具に面しかつシール端部の近くで中空内部プランジャアセンブリの中央に位置付けられる第２取付け具とを有する中空内側プランジャアセンブリと、
第１取付け具及び第２取付け具に固定される弾性テンション要素と、
伸長位置に伸縮した中空外側プランジャアセンブリ及び中空内側プランジャアセンブリと係合可能な、中空外側プランジャアセンブリと中空内側プランジャアセンブリとの間の解放可能な係合体と、
を含む皮下注射器。
【請求項２】
中空外側プランジャアセンブリは、中空外側プランジャ、及び中空外側プランジャを越えて伸長する第１端部にプランジャキャップを更に有し、キャップは、壁部分の周りに螺旋状カム表面を有する円筒壁を有し、中空外側プランジャは、螺旋状カム表面と係合し、それに対して摺動可能である第１端部に隣接するフォロアピンを有する請求項１に記載の皮下注射器。
【請求項３】
前記解放可能な係合体は、第２端部の近くに中空外側プランジャアセンブリにソケット、及び中空外側プランジャアセンブリによりソケットと係合可能な係合端部の近くに中空内側プランジャアセンブリ上に弾性的に取り付けられたピンを有し、かつ中空内側プランジャアセンブリは、伸長位置に伸縮され、バレルは、バレル内に完全に前進したプランジャアセンブリの運動と、弾性的に取り付けられたピンを係合させるように位置決めされ解放要素を含み、解放要素は、内向きに伸長する斜面であり、ソケットは、プランジャアセンブリの回転によって傾斜を受けるように中空外側プランジャアセンブリの周りで角度的に開放端部を有する請求項２に記載の皮下注射器。
【請求項４】
バレルは、長手方向に伸長する内部レールを有し、壁は、内部レールを受けることが可能なバレルの長手方向に伸長するトラックを有し、中空外側プランジャは、トラックと係合可能であり、かつ切り離し斜面を有する第１端部の近くに、弾性的に取り付けられたロックを更に有し、内部レールは、切り離し斜面に対して伸長し、かつバレル内のプランジャの完全な挿入に近く、トラックからロックを移動させる請求項２に記載の皮下注射器。
【請求項５】
シール止め具、
バレルが一端に第１開口部、他端に第２開口部、及び内部側壁を含み、プランジャアセンブリが第１開口部を通って摺動可能に伸長し、シール端部が、シール端部から軸方向に伸長するプローブ、及びプローブの周りを円周方向に伸長する組み合わせ表面を有し、シール止め具が、プローブの周りに位置決めされ、かつ組み合わせ表面との組み合わせ関係で位置決め可能であり、シール止め具及びプローブ間にある軸方向に解放可能な係合、
シール止め具及びプランジャアセンブリのシール端部の間に位置決めされる第１環状シールであって、シール止め具が、軸方向に解放可能な係合の係合によって組み合わせ表面との組み合わせ係合状態に、かつ軸方向切り離しにおいて軸方向に解放可能な係合により内部側壁と切り離し状態に保たれる、内部側壁との密封係合状態にある第１環状シールを更に含む請求項１又は２に記載の皮下注射器。
【請求項６】
軸方向に解放可能な係合は、プローブに対するシール止め具の回転によって軸方向に解放される請求項５に記載の皮下注射器。
【請求項７】
組み合わせ表面は、円錐台表面を有し、かつシール止め具は、組み合わせ表面と組み合わさる円錐台表面を有する請求項５に記載の皮下注射器。
【請求項８】
第２開口部のバレル内に位置決めされ、かつ針端部、係合端部、針端部でのルアーハブ、プランジャ回転により保持ラグと係合可能な、係合端部に近くの本体に面した保持表面を有する本体を含むルアーハブアセンブリを更に含む請求項５に記載の皮下注射器。
【請求項９】
保持表面及び保持ラグは、保持ラグが、保持表面と係合されて、バレル内に完全に伸長されたプランジャアセンブリにより軸方向に移動される請求項８に記載の皮下注射器。
【請求項１０】
プローブは、保持表面及び保持ラグ間の抵抗力なしに、保持表面との移動係合へ第１角度を通って回転可能である請求項９に記載の皮下注射器。
【請求項１１】
ルアーハブアセンブリは、第２開口部でバレル内に位置決めされ、かつ針端部、係合端部、針端部でのルアーハブを有する本体を含む請求項５に記載の皮下注射器。
【請求項１２】
プランジャアセンブリのシール端部及びシール止め具の間に位置決めされた第１環状シールを更に含み、第１環状シールは、軸方向に解放可能な係合の係合による空洞と組み合わせ係合状態、及び軸方向の切り離しにおける軸方向に解放可能な係合により内部側壁と切り離された状態で保持されるシール止め具により、内部側壁と密封係合状態にある請求項５に記載の皮下注射器。
【請求項１３】
第２開口部でバレル内に位置決めされ、かつ針端部、係合端部、針端部でのルアーハブ、及びルアーハブアセンブリの半径方向外向きに伸長する係合端部の近くに弾性的に取り付けられたラッチピンを有する本体を含むルアーハブアセンブリであって、弾性的に取り付けられたラッチピンは、カムフォロアを有し、バレルは、一端に第１開口部、他端に第２開口部、内部側壁、及び第２開口部の近くの内部側壁内の内部止め具を含み、プランジャアセンブリは、第１開口部を通って摺動可能に伸長し、かつシール端部及びプランジャアセンブリのシール端部から軸方向に伸長するプローブを含み、弾性的に取り付けられたラッチピンは、内部止め具と係合可能であり、プランジャアセンブリは、プローブの周りに位置決めされ、かつシール端部及び内側に面するカム表面との組み合わせ関係で位置決めされ得るシール止め具を更に含み、弾性的に取り付けられたラッチピンは、内側に面するカム表面と係合可能であるルアーハブアセンブリ、
シール止め具及びプローブ間の軸方向に解放可能な係合を更に含む請求項１又は２に記載の皮下注射器。
【請求項１４】
プランジャアセンブリは、プランジャアセンブリに面する第１係合表面によりルアーハブアセンブリに向かって伸長する支持体を更に含み、ルアーハブアセンブリは、本体に面し、かつバレル内に完全に伸長されたプランジャにより、プローブの回転によって第１係合表面と係合可能な第２係合表面を更に含み、第１及び第２係合表面は、ルアーハブアセンブリに対するプランジャアセンブリの更なる回転により互いに向けてプランジャアセンブリ及びルアーハブアセンブリを引き寄せる請求項１３に記載の皮下注射器。
【請求項１５】
プランジャアセンブリが、外側プランジャ及び外側プランジャと一緒に伸縮する内側プランジャを有し、かつ弾性テンション要素が、外側プランジャをバレルから外向きに引き寄せ、かつ外側プランジャ及び内側プランジャを、伸長位置に伸縮された時に、一緒に係合させることによって、外側プランジャ及び内側プランジャに端部で固定される、プランジャアセンブリ及び弾性テンション要素をバレル内で伸長すること、
ルアーハブへ、バレル内の伸長されたプランジャアセンブリを前進させること、
伸長され、かつ前進したプランジャアセンブリを引込めることによる、バレルへ液体を引き寄せること、
引込められたプランジャアセンブリを前進させることにより引き寄せられた液体を放出すること、
プランジャアセンブリとルアーハブアセンブリ係合させること、
外側プランジャ及び内側プランジャ間の係合を解放することを含む皮下注射器引込み方法。
【請求項１６】
プランジャアセンブリとルアーハブアセンブリを係合することは、プランジャアセンブリをバレル内に完全に前進させること、及びルアーハブアセンブリ上の保持表面との離間係合へ、プランジャアセンブリのシール端部上で保持ラグを回転させることを含む請求項１５に記載の皮下注射器引込み方法。
【請求項１７】
プランジャアセンブリのシール端部上で保持ラグを回転させることは、バレルから伸長するプランジャの端部で、プランジャアセンブリのキャップを軸方向に押すこと、及び軸方向の押しをプランジャアセンブリの回転へ転換することを含む請求項１６に記載の皮下注射器引込み方法。
【請求項１８】
軸方向の押しをプランジャアセンブリの回転へ転換することは、キャップから外側プランジャ上の弾性的に取り付けられたロックを解放すること、キャップとバレル上のレールを係合させること、キャップを軸方向に押す間に、外側プランジャ上のフォロアピンとキャップ上の螺旋状カム表面を係合させることを含む請求項１７に記載の皮下注射器引込み方法。
【請求項１９】
プランジャアセンブリは、そのシール端部に解放可能に係合されたシール止め具を有し、
プランジャアセンブリのシール端部からシール止め具を解放することを含む、プランジャアセンブリのシール端部及びシール止め具の間に保持される環状シールを半径方向に引込めること、
ルアーハブアセンブリとプランジャアセンブリを角度的に係合させること、
バレルの内部側壁上の内部止め具からルアーハブアセンブリ上のラッチピンを切り離すことを含む、バレルからルアーハブを解放することを更に含む請求項１５に記載の皮下注射器引込み方法。
【請求項２０】
バレル内に完全に、そのシール端部で解放可能に係合したシール止め具を有するプランジャアセンブリを伸長することを更に含む、液体を放出すること、
完全にバレル内にあるプランジャアセンブリにより、プランジャアセンブリのシール端部からシール止め具を解放することを含む、プランジャアセンブリのシール端部及びシール止め具の間に保持される環状シールを半径方向に引込めること、
プランジャアセンブリが一緒に伸縮され、かつ係合により伸長されて保持される外側プランジャ及び内側プランジャを含み、完全にバレル内にあるプランジャアセンブリにより、ルアーハブアセンブリとプランジャアセンブリを係合させること、
外側プランジャ及び内側プランジャ間の係合を解除すること、
バレルの内部側壁上の内部止め具からルアーハブアセンブリ上のラッチピンを切り離すことを含む、バレルからルアーハブを解放することを更に含む請求項１５に記載の皮下注射器引込み方法。
【発明の詳細な説明】
【技術分野】
【０００１】
本発明の分野は、鋭利物による損傷を回避するための安全システムを有する皮下注射器である。
【背景技術】
【０００２】
かねてから、鋭利物による不慮の損傷、又は針が刺さることから、及び注射器が注射剤を放出するために使用された後に、注射器から漏る、滴る又は噴霧される液体と接触することに対して、作業者を保護することが望ましいことは、技術上認識されていた。時折、注射器が、患者に液体を注射するために使用された後に、幾らかの液体は、注射器内、特に針の先端に残る。この液体は、注射器から患者に注射された液体、及び／又は血液のような患者からの体液を含み得る。注射器の使用後に注射器内に残るいかなる液体も、例えば注射器からの漏出、噴霧又は滴下によって注射器から離れ得、かつ領域内の人又は物体と接触し得る。引込み式針を有する注射器は、注射後に針が注射器のバレルに素早く引込む時、特にこの液体損失が起きやすくなり得る。
【０００３】
つい最近、鋭利物による事故の結果として重大な又は潜在的致死性汚染を伝染する可能性に関して懸念が表明された。ごく最近では、安全な針の技術の使用を求める法律制定が、多数の州及び職業安全衛生管理局で、審理中である。鋭利物による損傷及び液体散布に対して針を安全にするために要求される手動操作量を減少させる、安全で、便利に使用され、かつ安価なシステムが、必要とされる。
【発明の開示】
【課題を解決するための手段】
【０００４】
本発明は、引込み式針を有する皮下注射器システムの装置及び操作方法を対象にする。注射器は、バレル、及びルアーハブアセンブリ及び針をバレルに引込めるために、注射に続くプランジャの更なる操作を可能にする特徴及びステップにより、バレルへ摺動可能に伸長するプランジャアセンブリを含む。
【０００５】
本発明の第１の独立した側面において、プランジャアセンブリは、中空外側プランジャアセンブリ、中空内側プランジャアセンブリ、及び一緒に伸縮される外側及び内側プランジャアセンブリにより実質的に緩められるのみである、２つのアセンブリ間に伸長する弾性テンション要素を含む。外側及び内側プランジャアセンブリ間の解放可能な係合により、伸長位置へ伸縮されたアセンブリを保持することが可能になる。
【０００６】
このようにして、折り畳み式プランジャが提供される。
【０００７】
本発明の第２の独立した側面において、第１の独立した側面は、外側プランジャアセンブリにソケット、及び伸長した位置に伸縮されたプランジャアセンブリと係合する内側プランジャアセンブリに弾性的に取り付けられたピンを含むために更に検討され得る。注射器のバレルは、プランジャ操作により解放可能な係合を係合させるための解放要素を含み得る。かかる操作は、プランジャ押しボタンへの余分な力又はトルクを伴い得る。他方の手による、又は針に隣接する必要な操作の回避が、回避され得る。
【０００８】
本発明の第３の独立した側面において、第１の独立した側面は、内側及び外側プランジャアセンブリ間に索引作成（ｉｎｄｅｘｉｎｇ）、プランジャ開口部でのバレル及び固定端部での内部プランジャアセンブリ間の止め具、及び全プランジャアセンブリ及びバレル間の選択的索引作成を含むために更に検討される。プランジャアセンブリでのかかる制約によって、最小限の作業者の操作によるシステムの作業が可能になる。
【０００９】
本発明の第４の独立した側面において、プランジャアセンブリは、プランジャ、及びプランジャの一端にキャップを含む。キャップは、螺旋状カム表面を有する円筒壁、及びプランジャアセンブリの長手方向に伸長するトラックを有する。プランジャは、キャップ及びプランジャが互いに回転しないように保持する、弾性的に取り付けられたロックを含む。弾性的に取り付けられたロックは、切り離し斜面を含む。バレルは、プランジャのバレル内への完全挿入に近い水準になると、ロックをトラックから移動させるため、切り離し斜面で弾性的に取り付けられたロックを妨げることが可能な内部レールを含む。この移動は、キャップをバレルに対して回転しないように固定し、かつキャップに対して回転するためにプランジャを解放することが可能である。従って、螺旋状カム表面は、キャップがバレルに対して回転しないままである間、プランジャをバレルに対して回転させるためにプランジャ上のフォロアピンと相互に作用することが可能である。このようにして、回転は、注射器引込み機構を作動させるために選択的に用いられ得、かつそうでなければ、プランジャは、装填及び注射作業の間、バレルに対して索引付きのままになる。
【００１０】
本発明の第５の独立した側面において、プランジャは、プランジャのシール端部から伸長するプローブを含む。シール止め具は、プローブの周りに位置決めされ、かつプローブ及び止め具間で軸方向に解放可能な係合によってそこに保持される。環状シールが、シール端部でのプランジャ及びシール止め具の間に位置決めされる。シールは、プランジャと組み合わせ係合し、かつシール止め具がプランジャから切り離される時、内部側壁と切り離されるシール止め具によって、バレルの内部側壁と密封係合している。針を引込めるためのプランジャ及びバレル間のシール摩擦を減少させる能力は、このようにして達成される。
【００１１】
本発明の第６の独立した側面において、プランジャアセンブリは、シール端部でのプローブを、プローブ上の保持ラグと共に含む。ルアーハブアセンブリは、針端部、係合端部、針を保持する手段、及び係合端部近くで本体に面し、かつプランジャ回転により保持ラグと係合可能な保持表面を有する本体によって、バレル内に位置決めされる。プランジャは、更なる操作のために、このようにしてルアーハブアセンブリ全体と連結されても良い。保持ラグが、保持表面と係合して位置合わせをされるのであるが、保持表面及び保持ラグは、バレルに完全に伸長されたプランジャアセンブリにより互いに軸方向に移動し得る。間隔により、ルアーハブアセンブリを利用する前にプランジャの短期引込みを可能にすることができるようになる。この引込みは、液体の、結合した針を回避するために用いられ得る。
【００１２】
本発明の第７の独立した側面において、プランジャアセンブリは、プランジャのシール端部から軸方向に伸長するプローブを含む。シール止め具は、プローブの周りに位置決めされる。軸方向に解放可能な係合により、シール止め具が、同様にそこから軸方向に解放されたプランジャのシール端部と組み合わされた関係に保持されることが可能になる。シール止め具は、ルアーハブ及び針の引込みに好適な機能を達成するための運搬具を提供する。
【００１３】
本発明の第８の独立した側面において、第７の独立した側面は、ルアーハブアセンブリの周りでシールと協働するために、バレルの内部側壁に内向きに先細の部分を更に含むために検討される。バレルを通してルアーハブアセンブリを引込めることは、ルアーハブアセンブリの本体の周りでシールを漸次解放するためのテーパによって操作可能であり、引込み針に課される初期加速を減少させる。減少した加速は、引込める間に針から分離される液体量を制限する。
【００１４】
本発明の第９の独立した側面において、シール止め具は、プランジャアセンブリのシール端部と結合される。シール止め具は、内側に面するカム表面と係合可能なカムフォロアを有し、かつ内部止め具と係合可能であるラッチピンを含むルアーハブアセンブリに面する、内側に面するカム表面を含む。解放可能なシール止め具は、このようにして内部止め具からバレル内のルアーハブアセンブリを解放するためにラッチピンを作動させることが可能である。
【００１５】
本発明の第１０の独立した側面において、第９の独立した側面は、弾性的に取り付けられるラッチピンを作動させるために、シール止め具及びルアーハブアセンブリを互いに引き寄せることが可能な、シール止め具及びルアーハブアセンブリの間に相互に係合する表面を更に含むために検討される。このようにして、プランジャのシール端部と解放可能に係合されるシール止め具は解放され得、バレルからルアーハブアセンブリを解放するために、ルアーハブアセンブリと係合されるようになる。
【００１６】
本発明の第１１の独立した側面において、皮下注射器引込み方法は、プランジャアセンブリが、一緒に伸縮される外側プランジャ及び内側プランジャを含む注射器のバレル内でプランジャアセンブリ及び弾性テンション要素を伸長させることを含む。外側プランジャはバレルから外向きに引かれ、外側及び内側プランジャ間の係合を係合させる。外側及び内側プランジャ間の係合は、その後に解放される。
【００１７】
本発明の第１２の独立した側面において、第１１の独立した側面は、ルアーハブアセンブリ上の保持表面との離間係合にプランジャアセンブリの保持ログを回転させることによりプランジャアセンブリとルアーハブアセンブリを係合させることを含むために更に検討される。
【００１８】
本発明の第１３の独立した側面において、本発明の第１１及び１２の独立した側面は  プランジャキャップを軸方向に押すこと、及び実際の押しをプランジャアセンブリの回転に転換することを含むために更に検討される。
【００１９】
本発明の第１４の独立した側面において、プランジャのシール端部に解放可能に係合されるシール止め具は解放され、プランジャのシール端部及びシール止め具の間に保持される環状シールを半径方向に引込める。シール止め具も、ルアーハブアセンブリと係合し、かつルアーハブアセンブリは、バレルから解放される。環状シールが引込められ、かつルアーハブが解放されると、バレル端部からルアーハブを抜き出すことが可能である。
【００２０】
本発明の第１５の独立した側面において、シール止め具は、それと結合されるシールを半径方向に引込めることを可能にするプランジャのシール端部から解放される。シール止め具は、ルアーハブアセンブリと係合され、かつシール止め具の回転によってそこに引き寄せられる。シール止め具をルアーハブアセンブリに向けて引き寄せることにより、バレル内部と係合されるラッチピンが解放される。プランジャアセンブリからルアーハブアセンブリへのシール止め具の係合の移動は、このようにして、結果としてバレルを通してルアーハブアセンブリを引込めることが可能になる複数の変化をもたらす。
【００２１】
本発明の第１６の独立した側面において、前述の独立した側面のいずれも、より大きな利益となるように組み合わせて用いられるために検討される。
【００２２】
従って、針引込み皮下注射器の改良された方法及び装置を提供することは、本発明の目的である。その他の及び更なる目的及び利点は、以下に現れるであろう。
【発明を実施するための最良の形態】
【００２３】
次に図を詳細に検討すると、図１で一般的に２０と表される皮下注射器は、第１の大きな端部にプランジャ開口部２４を、かつ第２の小さな端部に針開口部２６を有するバレル２２を含む。バレル２２は、図４から８に別個に例示するように、内径の変動に基づき中空部分に関して画定され得る内部側壁を含む。
【００２４】
第１中空部分２８は、プランジャ開口部２４から第１内向き転移部分３０に伸長する。この第１部分２８は、２つの長手方向に伸長する内部レール３２を有する。これらのレールは、プランジャ開口部２４に斜面３４を有する第１部分２８の全長を伸長する。レールは、各々転移部分３０の内径にのみに内向きに伸長し、かつその地点で終わる。内向きに伸長するプランジャ止め具３６は、第１中空部分２８内の内向き転移部分３０から離間して位置付けられ、かつ内向き転移部分３０の最小直径を越えて内向きに伸長する。
【００２５】
転移部分３０でバレル２２から外向きに伸長するフランジは、つまみ３８を画定する。つまみ３８は、種々の人間工学的要件を満たすために設計され、かつ位置付けられても良い。
【００２６】
第２中空部分４０は、第１中空部分２８の内向き転移部分３０から第２内向き転移部分４２に伸長する。この第２中空部分４０は、第１中空部分２８よりも小さい直径を有するために示される。プランジャガイド４４は、第１内向き転移部分３０にすぐ隣接する第２中空部分４０から内向きに伸長する。２つの解放要素４６は、内向き転移部分４２の近くで中空部分４０の内部に正反対に配置される。これらの解放要素４６は、図７で見られるように、内向きに伸長する斜面である。
【００２７】
バレル２２の第３中空部分４８は、内向き転移部分４２から伸長する。この第３中空部分４８は、第２中空部分４０よりも小さい内径を有する。この部分は、内向き転移部分５０で終わる。そうでなければ、中空部分４８の内部は、内向き伸長要素がない。
【００２８】
第４中空部分５２は、第３中空部分４８の内向き転移部分５０から針開口部２６に伸長する。これら４つの中空部分２８、４０、４８及び５２は、共通の中心線を有する。第４中空部分５２は、２つの正反対に置かれた内部止め具５４を含む。これらの止め具５４は、ルアーハブアセンブリがそれに対して保持され得るショルダを提供する針開口部２６から最も離れた縁部を有する空洞を画定する。内部止め具５４は、差込みを収容するために、各止め具に関して形材５６がバレル２２の外側表面に示される十分な深さを有する。正反対に位置決めされた２つのルアーハブ止め具５８は、針開口部２６に位置付けられ、かつ索引作成、及び第４中空部分５２内に位置決めされたルアーハブアセンブリの軸方向抜き出しを制限するために内向きに伸長する。第４中空部分５２内のバレル２２の内壁の部分６０は、針開口部２６に向けて内向きに先細にされる。このようにして、テーパは、バレルを通って、第３中空部分３８に抜き取られる時、中空部分５２内に位置付けられるルアーハブアセンブリの周りに位置決めされるＯリングのシールを解放するために、内部止め具５４に向けて拡大する。
【００２９】
プランジャアセンブリは、バレル２２内に摺動可能に伸長する。このプランジャアセンブリは、中空内側プランジャアセンブリと一緒に伸縮する中空外側プランジャアセンブリを含む。中空外側プランジャアセンブリは、プランジャキャップ及び中空外側プランジャを含む。図９から１２に例示する中空外側プランジャ６２は、キャップ端部６４及び固定端部６６を含む。外側プランジャ６２は、多数の係合要素、及びその周り及びそれを通して位置付けられる溝を有し、一般的に本体が円筒形である。外側プランジャ６２の直径は、第２中空部分４０内を容易に摺動する。
【００３０】
２つの正反対に配置された長手方向案内溝６８は、中空外側プランジャ６２の全長を実質的に伸長するが、完全には伸長しない。止め溝７０も外側プランジャ６２側を通り案内溝６８に９０°で伸長する。この溝７０は、案内溝６８よりもキャップ端部６４に向けて僅かに先に伸長する。斜面７１は、止め溝７０の下端部に位置付けられる。
【００３１】
長手方向索引作成溝７２は、案内溝６８又は止め溝７０を有さない外側プランジャ６２の四分区間内に位置決めされる。索引作成溝７２は、案内溝６８及び止め溝７０とは異なり外側プランジャ６２の壁を通じて完全に伸長しない。側方レリーズ７４は、外側プランジャ６２のキャップ端部６４に非常に隣接する索引作成溝７２の端部から円周方向に伸長する。索引作成溝７２は、第２中空部分４０から内向きに伸長するプランジャガイド４４を受ける。プランジャガイド４４及び長手方向索引作成溝７２は、外側プランジャ６２及びバレル２２間の相対的回転を妨げるために外側プランジャ６２の索引作成をするために、協働する。この索引作成制約は、プランジャガイド４４が側方レリーズ７４に接触するように、外側プランジャ６２がバレル２２内に完全に伸長する状況を含まない。外側プランジャ６２の固定端部６６の長手方向索引作成溝７２は、案内止め具７６を含む。案内止め具７６は、プランジャガイド４４が、案内止め具７６を越えて押し込められ、外側プランジャ６２のバレル２２への軸方向挿入を可能にする幾らかの可撓性を有するように索引作成溝７２を横切って側方に伸長する。プランジャガイド４４は、一旦捕獲されると、側方レリーズ７４以外では、バレル２２に対する回転をしないように外側プランジャ６２を抑制し、かつ案内止め具７６の干渉を通じて抜き出しを妨げる。
【００３２】
外側プランジャ６２の固定端部６６に隣接して、対向ソケット７８が、プランジャの壁を通して伸長する。これらのソケット７８は、歯止め８０によって各々が対応する長手方向案内溝６８から移動する。歯止め８０は、索引作成目的で、外側プランジャ６２の側壁の内側側面上にある深さまで溝の部分を延長する。各ソケット７８の一端は、入口８２と協働する内向きに伸長する斜面を形成する解放要素４６の入口８２を形成するために、中空外側プランジャ６２の周りで角度的に開放される。プランジャアセンブリが、バレル内２２を前進すると、解放要素４６は、プランジャアセンブリの回転のために、ソケット７８が解放要素４６の下を回転するように、入口８２と位置合わせされる。
【００３３】
外側プランジャ６２のキャップ端部６４で、フォロアピン８４が、プランジャ６２を横切り正反対に外向きに伸長する。同じくキャップ端部６４で、弾性的に取り付けられたロック８６は、外側プランジャ６２から外向きに半径方向に伸長する。これらのロック８６は、より容易に内向きに押し込められ得るように、外側プランジャ６２の側壁を通る軸方向切断部によって取り付けられる。ロックは、外側プランジャ６２のキャップ端部６４から移動された端部に、切り離し斜面８８を有する。
【００３４】
外側プランジャアセンブリは、図１３から１６に例示されるプランジャキャップ９０を更に含む。プランジャキャップ９０は、一端に押しボタン９２、及びそこから垂れ下がる円筒壁９４を含む。その中のバンジーの弾性円筒端部を保持するためにアンダカット開口部を有するソケットを画定する第１取付け具９６が、円筒壁９４内で中心に取り付けられる。円筒壁９４は、その中で軸方向に切断された対向するトラック９８を含む。トラックは、キャップ９０の円筒壁９４がキャップ端部６４で外側プランジャ６２上に位置付けられ、弾性的に取り付けられたロック８６を受けるための寸法によって作られ、かつ位置決めされる。円筒壁は、螺旋状カム表面に係合し、かつそれに対して摺動可能であるフォロアピン８４を受けるために螺旋状カム表面を形成する２つの正反対に対向する螺旋状カム溝１００を更に含む。トラック９８もまた、バレル２２の中空部分２８の長手方向に伸長する内部レール３２を受けるための寸法によって作られ、かつ配置されることになる。
【００３５】
プランジャアセンブリは、図１７から２１に例示する中空内側プランジャアセンブリ１０２を更に含む。このプランジャアセンブリ１０２の本体は、３つの長手方向に伸長するアーム１０４、１０６、１０８によって画定される。３つのアーム１０４、１０６、１０８は、互いに９０°で伸長し、１つの四分区間を空のままにする。アーム１０４、１０６、１０８の長さは、外側プランジャ６２により内側プランジャ１０２のアセンブリに対し内向きの運動をとりわけ可能にする弾性を提供する。円形ハブ１１０は、係合端部１１４が開放される間、プランジャ１０２のシール端部１１２に位置付けられる。アーム１０４、１０６、１０８は、円形ハブ１１０から伸長する。円形ハブ１１０の内側に向けて、第２取付け具１１６が、バンジーの第２弾性円筒端部を受ける。この取付け具１１６は、開放チャネル１１８を通って伸長するバンジーにより側面から入り得るソケットを提供する。バンジーの第１端部は、第１取付け具９６に押し込まれるか、又は成形される。しかしながら、外側プランジャ６２及び内側プランジャ１０２の組み立ての間に、取付け具１１６内で固定係合へ側方にバンジーの第２端部を摺動させることは、より容易である。
【００３６】
弾性テンション要素として作動するバンジー１２０は、図２２に示し、中央弾性シャフト１２６により第１及び第２アンカショルダを提供する２つの弾性円筒端部１２２、１２４を含む。成形エラストマ材料が、バンジー１２０に関して検討される。かかる材料は、概して引張り状態で時間が経つと曲がる。従って、使用するまで弾性テンション要素１２０内では引張りを回避することが適切である。外側プランジャ６２及び内側プランジャ１０２が組み立てられ、かつ一緒に伸縮されると、弾性テンション要素１２０は、好ましくは、組み立て及び使用の時間の間に著しい曲げ（ｙｉｅｌｄ）に直面しないようにまさに実質的に緩められる。それ故、まさに実質的に緩められている状態は、最小限の引張りを含み得るか、又は少量の緩みを含み得る。
【００３７】
２つの弾性的に取り付けられたピン１２８及び１３０は、長手方向に伸長するアーム１０４及び１０６の遠位端から半径方向外向きに伸長する。これら２つのアームは、同一である。ピン１２８、１３０は、外側プランジャ６２の壁を通して２つの長手方向案内溝６８を係合させる。案内溝６８とのピン１２８及び１３０の協働は、外側プランジャ６２との内側プランジャ１０２の伸縮運動を安定させ、かつ２つのプランジャが互いに回転しないように索引作成をする。ピン１２８及び１３０は、各々が歯止め８０を係合させ、かつ乗り越えて、次に対向ソケット７８内に外向きに跳ね得る。ソケット７８は、弾性的に取り付けられたピン１２８及び１３０と共に、外側プランジャ６２及び内側プランジャ１０２の間に解放可能な係合を画定する。一旦解放可能な係合が係合されると、それは、ソケット７８と解放要素４６を位置合わせするために、完全にバレル２２内へのプランジャアセンブリの伸長によって解放されるのみである。プランジャアセンブリの回転のために、入口８２が、解放要素４６を通り越す。弾性的に取り付けられたピン１２８及び１３０は、次に解放要素４６を係合させ、かつ弾性的に取り付けられたピン１２８及び１３０が、隣接する歯止め８０から各々離れるような範囲で内向きに押し込められる。外側プランジャ６２及び内側プランジャ１０２が離れて伸縮され、弾性テンション要素１２０が、まさに実質的に緩められた状態から伸長されるにつれ、弾性的に取り付けられたピン１２８及び１３０の解放により、外側プランジャ６２及び内側プランジャ１０２は、別な方法で抑制されていないならば、一緒に伸縮することが可能になる。
【００３８】
半径方向に伸長する止め具１３２は、内部プランジャ１０２の係合端部１１４に隣接した長手方向に伸長するアーム１０８によって内部プランジャアセンブリ１１０に弾性的に取り付けられる。この止め具１３２は、止め溝７０内で長手方向に動くことが可能であり、かつまた外側プランジャ６２及び内側プランジャ１０２間の回転を妨げるために、索引作成を提供し得る。半径方向に伸長する止め具１３２は、この止め溝７０を通って伸長し、かつプランジャ止め具３６及び転移部分３０の間の空間でプランジャ止め具３６と位置合わせをされ、かつ係合させ得る。このことは、バレル２２を抜け出ないように、内部プランジャアセンブリ１０２の行程を制限する。更に、転移部分３０は、止め具１３２の下側の係合により内部プランジャ１０２の行程を妨げる。止め具１３２は、解放斜面１３３を含む。この斜面１３３は、外側プランジャ６２及び内側プランジャ１０２間が伸長位置に伸縮され、プランジャ止め具３６から止めピン１３２を解放するために、止め溝７０の端部で斜面７１によって係合されるように位置付けられる。
【００３９】
プローブ１３４は、内部プランジャ１０２のシール端部１１２から軸方向に伸長し、かつ円形ハブ１１０に取り付けられる。円錐台表面を有する空洞１３６は、組み合わせ表面を形成するためにプローブ１３４の周りでシール端部１１２内に伸長する。空洞１３６の外向きに、外部円錐台表面１３８は、円形ハブ１１０のリムに伸長する。
【００４０】
プローブ１３４は、３つの特異な係合機構を含む。２つの保持ラグ１４０は、プランジャ１３４の遠位端に近くで外向きに伸長する。正反対に対向するバイオネットスロット１４２は、第１の円周方向に伸長する溝１４４及び軸方向に伸長する溝１４６によって画定される。リッジ１４８は、溝１４４及び溝１４６間のバイオネットスロット１４２の深さを減少させる。従って、溝内のピンの円周方向運動に対する幾らかの抵抗が、軸方向レリーズに達する前に予定される。最後に、外向きに、かつ軸方向に伸長するショルダが、プローブ１３４のシャフトの部分の周りで各々が伸長する、２つの正反対に対向するラグ１５０によって画定される。
【００４１】
図２３から２５に例示される円錐シール止め具１５２は、プローブ１３４を受けるための中央ボア１５４を含み、かつ円錐台表面１５６によって囲まれる。円錐台表面１５６は、内側プランジャ１０２のシール端部１１２上の空洞１３６の円錐台表面に伸長及びそれと結合することが可能である。多数の係合手段が、シール止め具１５２上に提供される。
【００４２】
スロット１５８は、内向きに、かつ軸方向に伸長するショルダ１６０を画定するために、中央ボア１５４から外向きに伸長する。スロット１５８は、シール止め具１５２に対するプローブ１３４の軸方向の回転が、起き得るように、ラグ１５０を緩やかに受ける。内側プランジャ１０２のシール端部１１２から離れた方に面するシール止め具１５２側の正反対に対向する位置での表面の少なくとも一部が、２つの内側に面するカム表面１６２を形成する。これらの表面は、シール止め具１５２の外側リムから内向きに傾斜する。
【００４３】
弾性的に取り付けられたバイオネットピン１６４は、正反対に対向する位置から内向きに伸長する。プローブ１３４に位置付けられるバイオネットスロット１４２と協働する、バイオネットピン１６４は、軸方向に解放可能な係合を画定する。ピン１６４の台１６５の弾性により、ピン１６４がバイオネットスロット１４２内のリッジ１４８を越えるために外向きに動くことが可能になる。このようにして、トルク荷重のもとで、プローブ１３４は、バイオネットピン１６４を、円周方向溝１４４内の軸方向に係合された位置から軸方向溝１４６内の軸方向に切り離された位置に動かすために、シール止め具１５２に対して回転することが可能である。プローブ１３４及びスロット１５８間の相対運動は、バイオネットピン１６４が、リッジ１４８を越え、バイオネットスロット１４２の軸方向に伸長する溝１４６に動くまで、内向きに、かつ軸方向に伸長するショルダ１６０が、ラグ１５０の外向きに、かつ軸方向に伸長するショルダを係合させないように角度的に配置され、かつラグ１５０より広いスロット１５８によって可能にされる。
【００４４】
最後に、２つの支持要素１６６が、内側プランジャ１０２のシール端部１１２から離れて、円錐シール止め具１５２から軸方向に伸長する。これらの支持体１６６は、シール止め具１５２の軸に対して傾斜した、かつシール止め具１５２に面する第１係合表面１６８を含む。
【００４５】
概してＯリングによって提供される図３０から３３に見られる環状シール１７０は、内側プランジャ１０２のシール端部１１２及びシール止め具１５２の間に位置決めされる。シール端部１１２との組み合わせ係合しているシール止め具１５２により、外部円錐台表面１３８及び円錐台表面１５６は、環状シール１７０を保持する溝を一緒に提供する。シールは、引張り状態にあり、かつバレル２２の内部側壁との係合するように半径方向に外向きに押し込まれる。軸方向に解放可能な係合からのシール止め具１５２の解放により、環状シール１７０は、バレル２２の外部側壁から離れて引込む。この解放により、プランジャアセンブリが、著しい滑り摩擦なしにバレル２２から軸方向に引込められることが可能になる。
【００４６】
一般的に１７２で表される、図２６から２９に例示されるルアーハブアセンブリは、バレル２２の針開口部２６に位置付けられ、かつ針端部１７６及び係合端部１７８を有する、実質的に円筒形の本体１７４を有する。針端部１７６で、円錐ルアーハブ１８０が、本体１７４から中心に伸長する。内部にねじ切りされたソケット１８２は、円錐ルアーハブ１８０を囲み、かつ通路１８４がそれを通って伸長する。内部にねじ切りされたソケット１８２は、円錐ルアーハブ１８０の上に嵌る、標準円錐スリーブ１８８を有する針１８６を受けかつ保持するために、円錐ルアーハブ１８０と協働する。スリーブ１８８の周縁部のラグ１９０は、針１８６を確実に定位置に保持するために、内部にねじ切りされたソケット１８２のねじ山と係合する。
【００４７】
ルアーハブアセンブリ１７２の係合端部１７８は、複数の作業構成部品を含む。保持器１９２は、ルアーハブアセンブリ１７２の本体１７４に面する保持表面１９４を画定するために係合端部１７８から伸長する。保持表面１９４は、プローブ１３４の保持ラグ１４０を係合させる。バレル２２内に完全に伸長するプランジャアセンブリにより、保持ラグ１４０及び保持表面１９４は、軸方向に位置合わせされるが、保持表面１９４よりもバレル２２の針開口部２６に近い保持ラグ１４０により互いから移動する。この移動により、内側プランジャアセンブリ１０２は、保持ラグ１４０が保持表面１９４に軸方向に接触する前に、引込むことを開始することが可能になる。この内側ピストンアセンブリ１０２を引き出すことにより、プランジャ１０２のシール端部１１２及びルアーハブアセンブリ１７２の間は、真空に引かれる。真空は、次には針１８６から注射器バレル２２に残留液を引く。
【００４８】
ルアーハブアセンブリ１７２の係合端部１７８には、一対の第２係合表面１９６がまた位置付けられる。表面１９６は、シール止め具１５２の第１係合表面１６８を係合させる。これらの表面１６８及び１９６は、急勾配で傾斜しており、かつ回転係合中に接触しない保持ラグ１４０及び保持表面１９４よりも、係合するために大きな力を必要とする。表面１６８及び１９６のこの係合はまた、バイオネットスロット１４２及びバイオネットピン１６４によって画定されるプローブ１３４及びシール止め具１５２の間の軸方向に解放可能な係合の切り離しよりも大きなトルクを必要とする。このようにして、プローブ１３４及びルアーハブアセンブリ１７２は、係合することが保証され、かつシール止め具１５２及びプローブ１３４は、第１係合表面１６８及び第２係合表面１９６の間の完全な係合の前に切り離されることが確実にされる。第２係合表面１９６は、表面１６８及び１９６間の連続した係合が、ルアーハブアセンブリ１７２によって、固定位置に向け、かつ固定位置内にシール止め具１５２を引くように、本体１７４に面する。
【００４９】
ルアーハブアセンブリ１７２は、弾性支持体２００から半径方向に伸長する弾性的に取り付けられたラッチピン１９８を更に含む。ラッチピン１９８は、シール止め具１５２に向けて軸方向に伸長するカムフォロア２０２を含む。カムフォロア２０２は、内側に面するカム表面１６２によって係合される。シール止め具１５２が、係合表面１６８及び１９６によってルアーハブアセンブリ１７２に向けて引き寄せられるにつれ、内側に面するカム表面は、カムフォロア２０２を内向きに押し込む。この運動は、次にはラッチピン１９８を内向きに動かす。ラッチピンは、内部止め具５４内に位置決めされるように配置される。従って、ルアーハブアセンブリ１７２は、ラッチピン１９８のこの運動によって解放される。
【００５０】
第２環状シール２０４は、ルアーハブアセンブリ１７２の本体１７４の周りでシール溝２０６内に配置される。シール２０４は、好ましくはＯリングシールである。上で述べたように、内部側壁部分６０は、先細にされる。このようにして、ルアーハブアセンブリ１７２が、バレル２２の針開口部２６から離れるにつれ、シール２０４は、壁から解放される。
【００５１】
最後に、ルアーハブアセンブリ１７２は、バレル２２の針開口部２６に位置付けられるルアーハブ止め具５８を受ける切欠き２０８を含む。このようにして、ルアーハブアセンブリ１７２は、バレル２２内に引き寄せられるまで、いかなる回転もしないように保持され、かつまた針開口部２６を通してバレル２２内部から動くことが妨げられる。
【００５２】
次に皮下注射器の操作を検討すると、注射器は、無菌針１８６がルアーハブアセンブリ１７２と係合され、かつバレル２２から伸長し、包装されるようになる。プランジャキャップ９０は、トラック９８内に伸長する弾性的に取り付けられたロック８６により、中空外側プランジャ６２のキャップ端部６４に位置決めされる。外側プランジャ６２は、固定端部６６が、第２内向き転移部分４２に隣接するように、バレル２２内に実質的に完全に挿入される。内側プランジャアセンブリ１０２は、中空外側プランジャ６２の内部に収縮される。このようにして、半径方向に伸長する止め具１３２は、プランジャ止め具３６及びバレル２２の転移部分３０の間に固定される。ルアーハブアセンブリ１７２は、ルアーハブ止め具５８内に位置付けられる切欠き２０８及び内部止め具５４内に固定されるラッチピン１９８によって、バレル２２の針開口部２６に位置付けられる。シール止め具１５２は、軸方向に解放可能な係合によって内部プランジャアセンブリ１０２のシール端部１１２と組み合わせ関係に係合される。この組み合わせ位置のシール止め具１５２により、環状シール１７０が、バレル２２の内部表面と密封係合まで半径方向に拡大される。ピン１２８、１３０及び半径方向に伸長する止め具１３２は、溝６８及び７０と係合される。バイオネットスロット１４２内に係合されるバイオネットピン１６４により、プローブ１３４のラグ１５０は、スロット１５８の内向きにかつ軸方向に伸長するショルダ１６０から移動する。プランジャアセンブリは、保持ラグ１４０がルアーハブアセンブリ１７２の保持表面１９４から角度的に切り離されるように、長手方向索引作成溝７２内でプランジャガイド４４によってバレルにより索引作成される。
【００５３】
注射器を用いるために、プランジャアセンブリが伸長される。それを行うためには、外側プランジャ６２が、バレル２２から引かれる。このことは、プランジャキャップ９０を握り、かつバレル２２を軸方向外向きに引張ることによって達成される。外側プランジャは、ソケット７８が、各々が歯止め８０の後で固定されるようになる、半径方向に伸長する弾性的に取り付けられた案内ピン１２８、１３０の上を動くまで、外向きに引張られ得る。内側プランジャアセンブリ１０２は、内側プランジャアセンブリ１０２の半径方向に伸長する止め具１３２によるバレル２２上のプランジャ止め具３６の干渉により、外側プランジャ６２によって外向きに動かないように抑制された。内側及び外側プランジャアセンブリ１０２、６２が、完全な伸長に達すると、止め溝７０の斜面７１は、止め具１３２上の解放斜面１３３を係合させ、止め具１３２をプランジャ止め具３６から解放する。ソケット７８により、案内ピン１２８、１３０の係合前に止め具１３２を解放しないことにより、内側プランジャアセンブリは、プランジャアセンブリが完全に伸長され、かつ固定される前に、バレル２２内に前進できない。止め具１３２は、プランジャアセンブリが再度収縮するまで解放位置に残る。外側プランジャアセンブリを引き出すためにプランジャキャップ９０に対して及ぼされる力は、フォロアピン８４を係合させる螺旋状カム溝１００を通って外側プランジャ６２に伝送される。この運動はまた、弾性テンション要素を引き伸ばす。
【００５４】
プランジャアセンブリが伸長され、押しボタン９２は、内部作業量を取り除き、バレル内にプランジャアセンブリを前進させるために押し下げられる。プランジャキャップ９０は、注射される液体又は患者から引き出す液体により作業量を装填するため、再度握られかつ外向きに引かれても良い。プランジャアセンブリは、案内止め具７６が、プランジャガイド４４と接触するまで、外向きに動くことが可能である。注射器の作業量内に引き寄せられた液体は、次にプランジャキャップの押しボタン９２を押すことにより、引込められたプランジャアセンブリを再度前進させることにより、放出され得る。概して、作業者は、バレルを握っている親指及び中指、又はつまみ３８の周りで２本の指によって注射器を保持する間に、押しボタン９２を押し下げるために親指又は人差し指を使用する。一旦液体が注射されると、プランジャアセンブリは、バレル２２内で完全に前進する。この時点で、図３０に例示したが、プランジャアセンブリのみがバレル２２内を軸方向に動き、かつ普通の液体注射力のみが加えられた。
【００５５】
注射点から注射器を引き出した後に、追加の力が押しボタン９２に加えられる。追加の力は、プランジャキャップ９０をバレル２２の第１中空部分２８に引き下げる。プランジャキャップ９０が、前進するにつれ、外側プランジャ６２の弾性的に取り付けられたロック８６は、長手方向に伸長する内部レールを係合させる。ロック８６の切り離し斜面８８は、トラック９８からロック８６を引き出すためにレール３２の斜面３４と衝突する。レール３２は、トラック９８内でロック８６に取って代わる。この時点で、プランジャキャップ９０は、外側プランジャ３２によってもはや角度的に索引作成されない。むしろプランジャキャップ９０は、バレル２２に対して回転しないように固定される。
【００５６】
プランジャキャップ９０が更に前進するにつれ、軸方向の押しが、プランジャアセンブリの回転運動に転換される。螺旋状カム溝１００の螺旋状カム表面は、外側プランジャ６２内でトルクを発達させるために、外側プランジャ６２にフォロアピン８４を係合させる。外側プランジャ６２が、バレル２２内を完全に前進するにつれ、プランジャガイド４４は、長手方向索引作成溝の側方レリーズ７４と位置合わせをされる。このようにして、プランジャアセンブリは、障害物なしに回転することが可能である。プランジャアセンブリが第１角度を通して回転するにつれ、プローブ１３４上の保持ラグ１４０は、図３１に例示されるように、ルアーハブアセンブリ１７２上の保持表面１９４と移動係合に回転する。この第１作用は、プランジャアセンブリが、圧力を加えられた弾性テンション要素１２０の影響下でいかにして引込み得るかに関係なく、ルアーハブアセンブリ１７２が、置き去りにされないことを保証する。保持ラグ１４０が実際に保持表面１９４に接触しないので、この移動係合では、抵抗力に遭遇しない。
【００５７】
プランジャキャップ９０が前進を続けるにつれ、プローブ１３４は、回転を続ける。環状シール１７０は、バレル２２の内壁と摩擦係合している。この摩擦係合は、プローブ１３４により回転しないようにシール止め具１５２を保持し得る。この状況で、バイオネットスロット１４２及びバイオネットピン１６４によって画定される軸方向に解放可能な係合は、シール止め具１５２の係合表面１６８が、ルアーハブアセンブリ１７２上の係合表面１９６に接触するより前に、軸方向に離れる。そうでないならば、シール止め具１５２は、プランジャ１３４によって回転し、シール止め具１５２の係合表面１６８は、ルアーハブアセンブリ１７２上の、係合表面１９６を最初に係合させる。軸方向に解放可能な係合は、第１及び第２係合表面１６８及び１９６を係合させるために必要な抵抗トルクよりも実質的に小さい第１抵抗トルクによって切り離しに抵抗するように設計される。従って、軸方向に解放可能な係合は、その時点で離れる。いずれの場合せよ、図３２に（ルアーハブアセンブリ１７２なしに）例示されるように、円錐シール止め具１５２は、解放され、かつ環状シール１７０は、バレル２２の壁から引込む。このことは、プローブ１３４及びシール止め具１５２の間の回転の第２角度を通して達成される。
【００５８】
プランジャキャップ９０が、前進を継続するにつれ、プローブ１３４のラグ１５０は、スロット１５８のショルダ１６０を係合させる。プランジャアセンブリの更なる回転は、図３３に例示するように、係合表面１６８及び１９６が完全な係合へ続くという結果となる。これは、上記のようなラッチピン１９８を解放するためにルアーハブアセンブリ１７２に向かってシール止め具１５２を引き寄せる。この事態は、保持ラグを保持表面と係合させるために必要なものより大きく、かつ環状シール１７０を解放するために必要なものより大きいプランジャアセンブリの回転角度を通して起こる。
【００５９】
ラッチピン１９８の切り離しと同時に、ソケット７８が、ソケット７８からピン１２８、１３０を押している解放要素４６によってレジストリ（Ｒｅｇｉｓｔｒｙ）内に動く。この回転位置は、また保持表面と保持ラグを係合させ、かつ内側プランジャ１０２のシール端部１１２からシール止め具１５２を切り離すために必要な角度より大きい。ラッチピン１９８及び半径方向に伸長する弾性的に取り付けられた案内ピン１２８、１３０の両方が、解放された時、針を引込めることが開始される。
【００６０】
針１８６を引込めることは、最大範囲まで引張られる弾性テンション要素１２０によって開始される。ピン１２８及び１３０は、スロット７８から解放される。ラッチピン１９８は、内部止め具５４から解放され、かつ環状シール１７０は、バレル２２の側壁から引込められる。第２環状シール２０４は、引込みが開始する時、バレル２２の側壁と依然として密封係合したままである。このようにして、最初に幾らかの抵抗に遭遇する。最初に、プランジャアセンブリは、保持ラグ１４０が保持表面１９４と接触するまで、引込む。上で述べたように、針から液体を引き出すために、真空が、針に引かれる。実質的にその最大範囲まで伸長される弾性テンション要素１２０により、最も大きな力が、バレル２２内へ、係合シール２０４を有するルアーハブアセンブリ１７２を引き寄せるために利用可能である。シール２０４は、針開口部２６に向けて内向きに先細にされた壁６０の部分に当っている。従って、シール２０４の摩擦係合の抵抗力は、ルアーハブアセンブリ１７２がバレル２２内に引き寄せられるにつれ、減少する。このようにして、シール２０４の抵抗摩擦力のために、最初の加速が小さい。このことは、針からの液体解放を妨げることに更に役立つ。種々の構成部品の比率は、弾性テンション要素１２０の完全な収縮により、針先端がバレル２２内に引き寄せられ、かつもはや潜在的な鋭利物による損傷としての脅威でないように、される。
【００６１】
このようにして、改良された皮下注射器及び針を引込める方法が開示された。この発明の実施態様及び応用が示され、かつ記載されたが、ここでの発明概念から逸脱することなく、より多くの変更が可能であることは、当業者にとっては明白であろう。それ故、本発明は、添付の請求項の精神に従うことを除けば、限定されるべきでない。
【図面の簡単な説明】
【００６２】
【図１】組み立てられた注射器の斜視図である。
【図２】組み立てられた注射器の側面図である。
【図３】組み立てられた注射器の断面図である。
【図４】注射器バレルの斜視図である。
【図５】注射器バレルの側面図である。
【図６】図５の線６−６に沿った注射器バレルの断面図である。
【図７】注射器バレルの平面図である。
【図８】注射器バレルの底面図である。
【図９】外側プランジャの斜視図である。
【図１０】外側プランジャの側面図である。
【図１１】外側プランジャの側面図である。
【図１２】外側プランジャの底面図である。
【図１３】プランジャキャップの斜視図である。
【図１４】プランジャキャップの側面図である。
【図１５】プランジャキャップの側面図である。
【図１６】プランジャキャップの底面図である。
【図１７】内側プランジャの斜視図である。
【図１８】内側プランジャの側面図である。
【図１９】内側プランジャの側面図である。
【図２０】内側プランジャの平面図である。
【図２１】内側プランジャの底面図である。
【図２２】弾性テンション要素の斜視図である。
【図２３】シール止め具の斜視図である。
【図２４】シール止め具の平面図である。
【図２５】シール止め具の側面図である。
【図２６】ルアーハブアセンブリの斜視図である。
【図２７】ルアーハブアセンブリの平面図である。
【図２８】図２７の線２８−２８に沿った断面図である。
【図２９】図２７の線２９−２９に沿った断面図である。
【図３０】第１位置のシール止め具及びルアーハブアセンブリの部分側面図である。
【図３１】第２位置のシール止め具及びルアーハブアセンブリの斜視図である。
【図３２】シール止め具及びプローブの斜視図である。
【図３３】もう一つの位置のシール止め具及びルアーハブアセンブリの側面図である。
【国際公開パンフレット】
2005501610.tif 000003
2005501610.tif 000004
2005501610.tif 000005
2005501610.tif 000006
2005501610.tif 000007
2005501610.tif 000008
2005501610.tif 000009
2005501610.tif 000010
2005501610.tif 000011
2005501610.tif 000012
2005501610.tif 000013
2005501610.tif 000014
2005501610.tif 000015
2005501610.tif 000016
2005501610.tif 000017
2005501610.tif 000018
2005501610.tif 000019
2005501610.tif 000020
2005501610.tif 000021
2005501610.tif 000022
2005501610.tif 000023
2005501610.tif 000024
2005501610.tif 000025
2005501610.tif 000026
2005501610.tif 000027
2005501610.tif 000028
2005501610.tif 000029
2005501610.tif 000030
2005501610.tif 000031
2005501610.tif 000032
2005501610.tif 000033
2005501610.tif 000034
2005501610.tif 000035
2005501610.tif 000036
2005501610.tif 000037
2005501610.tif 000038
2005501610.tif 000039
2005501610.tif 000040
2005501610.tif 000041
2005501610.tif 000042
2005501610.tif 000043
2005501610.tif 000044
2005501610.tif 000045
2005501610.tif 000046
2005501610.tif 000047
2005501610.tif 000048
2005501610.tif 000049
2005501610.tif 000050
2005501610.tif 000051
2005501610.tif 000052
2005501610.tif 000053
2005501610.tif 000054
2005501610.tif 000055
【国際公開パンフレット（コレクトバージョン）】
2005501610.tif 000056
2005501610.tif 000057
【国際調査報告】
2005501610.tif 000058